【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
光学像を光電変換する撮像素子と、
前記撮像素子から得られた信号を用いてコントラスト方式による焦点検出を行う第１焦点検出手段と、
前記第１焦点検出手段と異なる方法で焦点検出を行う第２焦点検出手段と、
フォーカスレンズの駆動と前記撮像素子のフレームレートを制御する制御手段と、を有し、
前記制御手段は、
第１フレームレートで前記撮像素子を駆動している際に、合焦制御を指示する所定の操作が行われた場合、前記撮像素子のフレームレートを前記第１フレームレートから前記第１フレームレートよりも高い第２フレームレートに変更して前記第１焦点検出手段による焦点検出を行い、
前記第１フレームレートから前記第２フレームレートへの変更が完了する前に、前記第２焦点検出手段の検出結果に基づく前記フォーカスレンズの駆動を開始することを特徴とする撮像装置。
【請求項２】
前記制御手段は、前記所定の操作が行われた場合、前記第２焦点検出手段の検出結果に基づいて前記第１焦点検出手段による焦点検出を開始する位置を決定し、前記第１フレームレートから前記第２フレームレートへの変更が完了する前に、当該位置へ前記フォーカスレンズの駆動を開始することを特徴とする請求項１に記載の撮像装置。
【請求項３】
前記第１焦点検出手段による焦点検出を開始する位置は、前記第２焦点検出手段により得られる合焦位置に基づいて決定されることを特徴とする請求項２に記載の撮像装置。
【請求項４】
前記第２焦点検出手段は、位相差方式による焦点検出を行うことを特徴とする請求項１乃至３のいずれか１項に記載の撮像装置。
【請求項５】
前記撮像素子は、前記位相差方式による焦点検出に用いられる一対の像信号を生成し、
前記第２焦点検出手段は、前記撮像素子で生成された前記一対の像信号を用いて焦点検出を行うことを特徴とする請求項４に記載の撮像装置。
【請求項６】
前記制御手段は、前記所定の操作が行われた場合、前記第１フレームレートから前記第２フレームレートへの変更が完了する前に、当該所定の操作が行われる前に生成された前記一対の像信号を用いた前記第２焦点検出手段の検出結果に基づいて前記フォーカスレンズの駆動を開始することを特徴とする請求項５に記載の撮像装置。
【請求項７】
前記制御手段は、
前記一対の像信号の信頼性を判定し、
前記信頼性が高いと判定した場合、前記第１フレームレートから前記第２フレームレートへの変更が完了する前に、前記一対の像信号を用いた前記第２焦点検出手段の検出結果に基づいて前記フォーカスレンズの駆動を開始することを特徴とする請求項５または６に記載の撮像装置。
【請求項８】
前記制御手段は、前記信頼性が高くないと判定した場合、前記一対の像信号を用いた前記第２焦点検出手段の検出結果に基づいて前記フォーカスレンズの駆動を行わないことを特徴とする請求項７に記載の撮像装置。
【請求項９】
前記撮像素子は、撮像光学系の互いに異なる瞳領域を通過する光束を受光する複数の焦点検出用画素を備え、
前記第２焦点検出手段は、前記焦点検出用画素により生成される前記一対の像信号に基づいて、前記位相差方式による焦点検出を行うことを特徴とする請求項５乃至８のいずれか１項に記載の撮像装置。
【請求項１０】
前記所定の操作が行われる前に、前記第１フレームレートで駆動された前記撮像素子からの画像をライブビュー表示する表示手段を有することを特徴とする請求項１乃至９のいずれか１項に記載の撮像装置。
【請求項１１】
光学像を光電変換する撮像素子と、
前記撮像素子から得られた信号を用いてコントラスト方式による焦点検出を行う第１焦点検出手段と、
フォーカスレンズの駆動と前記撮像素子のフレームレートを制御する制御手段と、を有し、
前記制御手段は、
第１フレームレートで前記撮像素子を駆動している際に、合焦制御を指示する所定の操作が行われた場合、前記撮像素子のフレームレートを前記第１フレームレートから前記第１フレームレートよりも高い第２フレームレートに変更して前記第１焦点検出手段による焦点検出を行い、
前記所定の操作が行われたときに前記フォーカスレンズが合焦近傍位置にある場合、前記第１フレームレートから前記第２フレームレートへの変更が完了する前に、前記フォーカスレンズの駆動を開始することを特徴とする撮像装置。
【請求項１２】
前記制御手段は、前記所定の操作が行われたときに前記フォーカスレンズが前記合焦近傍位置にある場合、前記第１フレームレートから前記第２フレームレートへの変更が完了する前に、前記第１焦点検出手段による焦点検出を開始する位置へ前記フォーカスレンズの駆動を開始することを特徴とする請求項１１に記載の撮像装置。
【請求項１３】
前記制御手段は、前記撮像素子から得られた信号の高周波数成分に基づくコントラスト評価値が所定の閾値よりも高い場合、前記フォーカスレンズが前記合焦近傍位置にあると判定することを特徴とする請求項１１または１２に記載の撮像装置。
【請求項１４】
レンズ装置と、
請求項１乃至１３のいずれか１項に記載の撮像装置と、を有することを特徴とする撮像システム。
【請求項１５】
第１フレームレートで光学像を光電変換する撮像素子を駆動するステップと、
前記第１フレームレートで前記撮像素子を駆動している際に、合焦制御を指示する所定の操作を受け付けるステップと、
前記所定の操作が行われた場合、前記撮像素子のフレームレートを前記第１フレームレートから前記第１フレームレートよりも高い第２フレームレートに変更するステップと、
前記第２フレームレートで前記撮像素子から得られた信号を用いてコントラスト方式による焦点検出を行うステップと、
前記第１フレームレートから前記第２フレームレートへの変更が完了する前に、前記コントラスト方式と異なる方法で行われた焦点検出の結果に基づく前記フォーカスレンズの駆動を開始するステップと、を有することを特徴とする撮像装置の制御方法。
【請求項１６】
第１フレームレートで光学像を光電変換する撮像素子を駆動するステップと、
前記第１フレームレートで前記撮像素子を駆動している際に、合焦制御を指示する所定の操作を受け付けるステップと、
前記所定の操作が行われた場合、前記撮像素子のフレームレートを前記第１フレームレートから前記第１フレームレートよりも高い第２フレームレートに変更するステップと、
前記第２フレームレートで前記撮像素子から得られた信号を用いてコントラスト方式による焦点検出を行うステップと、
前記所定の操作が行われたときに前記フォーカスレンズが合焦近傍位置にある場合、前記第１フレームレートから前記第２フレームレートへの変更が完了する前に、前記フォーカスレンズの駆動を開始するステップと、
を有することを特徴とする撮像装置の制御方法。
【請求項１７】
請求項１５または１６に記載の撮像装置の制御方法をコンピュータに実行させるように構成されていることを特徴とするプログラム。
【請求項１８】
請求項１７に記載のプログラムを記憶していることを特徴とする記憶媒体。
【手続補正２】
【補正対象書類名】明細書
【補正対象項目名】０００７
【補正方法】変更
【補正の内容】
【０００７】
本発明の一側面としての撮像装置は、光学像を光電変換する撮像素子と、前記撮像素子から得られた信号を用いてコントラスト方式による焦点検出を行う第１焦点検出手段と、前記第１焦点検出手段と異なる方法で焦点検出を行う第２焦点検出手段と、フォーカスレンズの駆動と前記撮像素子のフレームレートを制御する制御手段と、を有し、前記制御手段は、第１フレームレートで前記撮像素子を駆動している際に、合焦制御を指示する所定の操作が行われた場合、前記撮像素子のフレームレートを前記第１フレームレートから前記第１フレームレートよりも高い第２フレームレートに変更して前記第１焦点検出手段による焦点検出を行い、前記第１フレームレートから前記第２フレームレートへの変更が完了する前に、前記第２焦点検出手段の検出結果に基づく前記フォーカスレンズの駆動を開始する。
【手続補正３】
【補正対象書類名】明細書
【補正対象項目名】０００９
【補正方法】変更
【補正の内容】
【０００９】
本発明の他の側面としての撮像装置の制御方法は、第１フレームレートで光学像を光電変換する撮像素子を駆動するステップと、前記第１フレームレートで前記撮像素子を駆動している際に、合焦制御を指示する所定の操作を受け付けるステップと、前記所定の操作が行われた場合、前記撮像素子のフレームレートを前記第１フレームレートから前記第１フレームレートよりも高い第２フレームレートに変更するステップと、前記第２フレームレートで前記撮像素子から得られた信号を用いてコントラスト方式による焦点検出を行うステップと、前記第１フレームレートから前記第２フレームレートへの変更が完了する前に、前記コントラスト方式と異なる方法で行われた焦点検出の結果に基づく前記フォーカスレンズの駆動を開始するステップと、を有する。